(57)【要約】被検眼の状態に係らず、被検眼の波面収差をより効率的に適切に測定し表示を行う。第１照明光学系２００Ａは、第１の光源部１００からの第１光束で被検眼網膜６１上で微小な領域を照明する。第１受光光学系３００Ａは、被検眼網膜６１から反射して戻ってくる光束の一部を、反射光束を少なくとも１７本のビームに変換するための第１変換部材４００を介して第１受光部５１０に導く。測定データ判断部は、例えば、第１受光部５１０からの第１信号に基づき、波面収差を求めるのに適切な測定データかどうかを判断する。第１修正部は、例えば、測定データ判断部が適切な測定データでないと判断したときに、後述する確認修正画面を表示させ、適切な測定データに修正する。演算部は、さらに、測定データ判断部が適切な測定データと判断した測定データ又は第１修正部６０３が修正した測定データに基づき、被検眼６０の波面収差を光学特性として演算する。また、測定結果判断部は、例えば、演算部で求められた波面収差が適切であるかどうかを判断する。また、第２修正部６０７は、例えば、測定結果判断部が適切な測定結果でないと判断したときに、確認修正画面を表示させ適切な測定データに修正する。
2003053230.tif 000002
【特許請求の範囲】
【請求項１】
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、波面収差を求めるのに適切な測定データかどうかを判断する測定データ判断部と、
上記測定データ判断部が適切な測定データでないと判断したときに、確認修正画面を表示させ適切な測定データに修正する第１修正部と、
上記測定データ判断部が適切な測定データと判断した測定データ又は上記第１修正部が修正した測定データに基づき、被検眼の波面収差を光学特性として演算する演算部と、
上記演算部の演算結果である波面収差を表示する表示部と
を備えた眼特性測定装置。
【請求項２】
上記測定データ判断部は、ハルトマン像におけるスポット像の密度及び／又は抽出されたスポット像の数に基づき測定データの適否を判断するようにした請求項１に記載の眼特性測定装置。
【請求項３】
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号の測定データに基づき、被検眼の波面収差を光学特性として演算する演算部と、
上記演算部で求められた波面収差が適切であるかどうかを判断する測定結果判断部と、
上記測定結果判断部が適切な測定結果でないと判断したときに、確認修正画面を表示させ適切な測定データに修正する第２修正部と、
上記演算部の演算結果である波面収差を表示する表示部と
を備えた眼特性測定装置。
【請求項４】
上記測定結果判断部は、波面成分のデフォーカス項の成分がゼロに近いか、角膜と波面のゼルニケ係数が同じ傾向か、被検眼の測定データを予め記憶したデータベース内の測定データと今回測定した測定データとを比較して両者が略同一か、同一被検眼で測定した複数の測定データ同士を比較して両者が略同一か、のいずれか１つ又は複数の組合わせによる条件に基づき、測定結果の適否を判断するようにした請求項３に記載の眼特性測定装置。
【請求項５】
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、波面収差を求めるのに適切な測定データかどうかを判断する測定データ判断部と、
上記測定データ判断部が適切な測定データでないと判断したときに、確認修正画面を表示させ適切な測定データに修正する第１修正部と、
上記測定データ判断部が適切な測定データと判断した測定データ又は上記第１修正部が修正した測定データに基づき、被検眼の波面収差を光学特性として演算する演算部と、
上記演算部で求められた波面収差が適切であるかどうかを判断する測定結果判断部と、
上記測定結果判断部が適切な測定結果でないと判断したときに、確認修正画面を表示させ適切な測定データに修正する第２修正部と、
上記演算部の演算結果である波面収差を表示する表示部と
を備えた眼特性測定装置。
【請求項６】
上記測定データ判断部は、ハルトマン像におけるスポット像の密度及び／又は抽出されたスポット像の数に基づき測定データの適否を判断し、
上記測定結果判断部は、波面成分のデフォーカス項の成分がゼロに近いか、角膜と波面のゼルニケ係数が同じ傾向か、被検眼の測定データを予め記憶したデータベース内の測定データと今回測定した測定データとを比較して両者が略同一か、同一被検眼で測定した複数の測定データ同士を比較して両者が略同一か、のいずれか１つ又は複数の組合わせによる条件に基づき、測定結果の適否を判断するようにした請求項５に記載の眼特性測定装置。
【請求項７】
表示モードを指示するための入力部をさらに備え、
上記表示部は、上記入力部の指示に従い、上記第１受光部より取得したスポットの重心を表示する第１モード、該スポット同士を格子状に結んだ状態を表示する第２モード、各スポットに座標値を付した状態を表示する第３モード、のいずれか又は複数組合わせたモードで測定データを表示するようにした請求項１、３又は５のいずれかに記載の眼特性測定装置。
【請求項８】
スポットの修正に関する処理を指示する入力部をさらに備え、
上記第１又は第２修正部は、上記入力部の指示に従い、確認修正画面上の領域において、その領域内のスポットの重心を検出し、上記演算部による演算に用いるためにスポットの重心を追加するようにした請求項１、３又は５のいずれかに記載の眼特性測定装置。
【請求項９】
スポットの修正に関する処理を指示する入力部をさらに備え、
上記第１又は第２修正部は、上記入力部の指示に従い、確認修正画面上のスポットの重心を削除し、削除されたスポットの重心を上記演算部による被検眼の波面収差の演算に用いないようにした請求項１、３又は５のいずれかに記載の眼特性測定装置。
【請求項１０】
スポットの修正に関する処理を指示する入力部をさらに備え、
上記第１又は第２修正部は、上記入力部の指示に従い、確認修正画面上に、上記演算部による演算に用いるために、スポットの重心となるダミー点を追加するようにした請求項１、３又は５のいずれかに記載の眼特性測定装置。
【請求項１１】
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、スポット像のピークを抽出するピーク抽出部と、
上記ピーク抽出部により抽出されたスポット像のピークに基づき、水平方向の中心軸付近から、格子点の列番号を決定し、その後、決定された列番号のスポット像位置に基づき行番号を決定する第１モードにより、格子点を決定する格子点決定部と、
上記格子点決定部で決定された格子点に基づき、被検眼の波面収差を光学特性として演算する演算部と、
上記演算部の演算結果である波面収差を表示する表示部と
を備えた眼特性測定装置。
【請求項１２】
格子点を決定するモードを指示するための入力部をさらに備え、
上記格子点決定部は、上記入力部の指示に従い、上記ピーク抽出部により抽出されたスポット像のピークに基づき、鉛直方向の中心軸付近から、格子点の行番号を決定し、その後、決定された行番号のスポット像位置に基づき列番号を決定する第２モードにより、格子点を決定するようにした請求項１１に記載の眼特性測定装置。
【請求項１３】
上記表示部は、さらに、上記ピーク抽出部により抽出されたスポット像又は格子点マップを表示することを特徴とする請求項１１に記載の眼特性測定装置。
【請求項１４】
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、スポット像のピークを抽出するピーク抽出部と、
上記ピーク抽出部により抽出されたスポット像のピークに基づき、一の軸付近から、格子点の行番号又は列番号の一方を決定し、その後、決定された一方の番号から他方の列番号又は行番号を、そのスポット像位置に基づき決定する格子点決定部と、
上記格子点決定部で決定された格子点に基づき、被検眼の波面収差を光学特性として演算する演算部と、
上記演算部の演算結果である波面収差を表示する表示部と
を備えた眼特性測定装置。
【請求項１５】
上記格子点決定部は、上記ピーク抽出部により抽出されたスポット像のピークに基づき、水平方向の軸付近から、格子点の列番号を決定し、その後、決定された列番号のスポット像位置に基づき、行番号を決定するようにした請求項１４に記載の眼特性測定装置。
【請求項１６】
上記格子点決定部で決定された格子点座標が適切かどうかを判断する格子点判断部をさらに備え、
上記格子点判断部が、上記格子点決定部で決定された格子点座標が適切でないと判断した場合、格子点決定部は、先に決定した軸の方向と異なる軸方向から格子点を決定しなおすようにした請求項１４に記載の眼特性測定装置。
【請求項１７】
上記格子点判断部は、ハルトマン像におけるスポット像の密度及び／又は抽出されたスポット像の数に基づき測定データの適否を判断するようにした請求項１６に記載の眼特性測定装置。
【請求項１８】
上記演算部で求められた波面収差が適切であるかどうかを判断する測定結果判断部と、
上記測定結果判断部が適切な測定結果でないと判断したときに、確認修正画面を表示させ適切な測定データに修正する修正部と
をさらに備えた請求項１１又は１４に記載の眼特性測定装置。
【請求項１９】
上記測定結果判断部は、波面成分のデフォーカス項の成分がゼロに近いか、角膜と波面のゼルニケ係数が同じ傾向か、被検眼の測定データを予め記憶したデータベース内の測定データと今回測定した測定データとを比較して両者が略同一か、同一被検眼で測定した複数の測定データ同士を比較して両者が略同一か、のいずれか１つ又は複数の組合わせによる条件に基づき、測定結果の適否を判断するようにした請求項１８に記載の眼特性測定装置。
【請求項２０】
スポットの修正に関する処理を指示する入力部をさらに備え、
上記修正部は、上記入力部の指示に従い、確認修正画面上に、上記演算部による演算に用いるために、上記ピーク抽出部により抽出されていない格子点を、スポットの重心となるダミー点として追加するようにした請求項１８に記載の眼特性測定装置。
【発明の詳細な説明】
技術分野
本発明は、眼特性測定装置に係り、特に、被検眼の波面収差をより効率的に適切に測定し表示を可能とする眼特性測定装置に関する。
背景技術
従来の角膜形状測定装置は、指標を投影し、その指標の結像位置を求め角膜形状を測定する装置が知られている。また、眼の光学特性を測定する装置には、本出願人が特許出願を行ったものとして、第１受光部の受光レベルで照明光学系のピント調整を行い、第１受光部の出力から求めた光学特性（Ｓ）に基づき受光光学系のピント調整を行う装置が存在している（特願平９−１３７６３０号に基づく国内優先権主張特許出願、特願平１０−１４６５６２号（特開平１１−０２８１８８号））。
発明の開示
しかしながら、従来の眼特性測定装置では、円錐角膜などの病眼の測定の場合に不都合な場合が想定される。例えば、眼底からの微弱な反射光に基づくハルトマン像からスポット像を抽出することは、被検眼の収差が大きい場合、眼球内での透過率が低い又は散乱が多いような場合に、自動的に抽出することが困難な場合が想定される。
特に、被検眼が正常でない場合には、このようなスポット像の抽出が困難な場合が想定される。従来より、上述のような場合でも、効率的な手順で修正作業を行い波面測定を行うことが切望されていた。
また、一般的に、参照格子点とずれが生じる場合、ハルトマン像のスポット像は、水平方向の格子間隔は略一定で鉛直方向の格子間隔に粗密が生じる傾向がある。そこで、多くの人の眼の測定を自動的に確実に測定できるように格子点を決定する方向として、水平方向を優先させる場合が想定される。しかし、倒乱視、角膜異常、角膜手術の失敗等による眼は、例えば、水平方向の格子間隔が粗密となることがある。従来より、上述のような場合でも、的確な波面測定を行うことが切望されていた。
本発明の目的のひとつは、以上の点に鑑み、被検眼の状態に係らず、被検眼の波面収差をより効率的に適切に測定し表示を行うことができる眼特性測定装置を提供することにある。また、本発明の他の目的は、波面収差の測定前及び／又は測定後において、効率的な手順で修正作業を行い再び波面収差の測定を行うことができる眼特性測定装置を提供することにある。
また、本発明の他の目的は、ハルトマン像のスポット像と格子点座標とを対応付けて、照明状態を適切にすることができる眼特性測定装置の提供を目的とする。
本発明の第１の解決手段によると、
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、波面収差を求めるのに適切な測定データかどうかを判断する測定データ判断部と、
上記測定データ判断部が適切な測定データでないと判断したときに、確認修正画面を表示させ適切な測定データに修正する第１修正部と、
上記測定データ判断部が適切な測定データと判断した測定データ又は上記第１修正部が修正した測定データに基づき、被検眼の波面収差を光学特性として演算する演算部と、
上記演算部の演算結果である波面収差を表示する表示部と
を備えた眼特性測定装置を提供する。
本発明の第２の解決手段によると、
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号の測定データに基づき、被検眼の波面収差を光学特性として演算する演算部と、
上記演算部で求められた波面収差が適切であるかどうかを判断する測定結果判断部と、
上記測定結果判断部が適切な測定結果でないと判断したときに、確認修正画面を表示させ適切な測定データに修正する第２修正部と、
上記演算部の演算結果である波面収差を表示する表示部と
を備えた眼特性測定装置を提供する。
本発明の第３の解決手段によると、
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、波面収差を求めるのに適切な測定データかどうかを判断する測定データ判断部と、
上記測定データ判断部が適切な測定データでないと判断したときに、確認修正画面を表示させ適切な測定データに修正する第１修正部と、
上記測定データ判断部が適切な測定データと判断した測定データ又は上記第１修正部が修正した測定データに基づき、被検眼の波面収差を光学特性として演算する演算部と、
上記演算部で求められた波面収差が適切であるかどうかを判断する測定結果判断部と、
上記測定結果判断部が適切な測定結果でないと判断したときに、確認修正画面を表示させ適切な測定データに修正する第２修正部と、
上記演算部の演算結果である波面収差を表示する表示部と
を備えた眼特性測定装置を提供する。
本発明の第４の解決手段によると、
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、スポット像のピークを抽出するピーク抽出部と、
上記ピーク抽出部により抽出されたスポット像のピークに基づき、水平方向の中心軸付近から、格子点の列番号を決定し、その後、決定された列番号のスポット像位置に基づき行番号を決定する第１モードにより、格子点を決定する格子点決定部と、
上記格子点決定部で決定された格子点に基づき、被検眼の波面収差を光学特性として演算する演算部と、
上記演算部の演算結果である波面収差を表示する表示部と
を備えた眼特性測定装置を提供する。
本発明の第５の解決手段によると、
第１波長の光束を発する光源部と、
上記光源部からの光束で被検眼網膜上で微小な領域を照明するための第１照明光学系と、
被検眼網膜から反射して戻ってくる第１反射光束の一部を、該第１反射光束を少なくとも実質的に１７本のビームに変換する第１変換部材を介して受光するように導く第１受光光学系と、
上記第１受光光学系の受光光束を受光し、第１信号を形成する第１受光部と、
上記第１受光部からの第１信号に基づき、スポット像のピークを抽出するピーク抽出部と、
上記ピーク抽出部により抽出されたスポット像のピークに基づき、一の軸付近から、格子点の行番号又は列番号の一方を決定し、その後、決定された一方の番号から他方の列番号又は行番号を、そのスポット像位置に基づき決定する格子点決定部と、
上記格子点決定部で決定された格子点に基づき、被検眼の波面収差を光学特性として演算する演算部と、
上記演算部の演算結果である波面収差を表示する表示部と
を備えた眼特性測定装置を提供する。
発明を実施するための最良の形態
以下、図面を用いて本発明の実施の形態を詳細に説明する。
１．光学系
図１は、本発明に関する眼特性測定装置１０００の概略光学系を示す図である。
眼特性測定装置１０００は、例えば、第１の光源部１００と、第１照明光学系２００Ａと、第１受光光学系３００Ａと、第１受光部５１０と、第３光源部９１と、第２の光源部１１０と、第２照明光学系２００Ｂと、第２受光光学系３００Ｂと、第２受光部５２０と、第３受光光学系３０と、第１調整用光学系５０と、第２調整用光学系７０と、第３照明用光学系９０を備える。なお、被測定眼６０については、図中、網膜（眼底）６１、角膜（前眼部）６２が示されている。
第１の光源部１００は、第１波長の光束を発する。第１照明光学系２００Ａは、第１の光源部１００からの第１光束で被検眼網膜６１上で微小な領域を照明する。第１受光光学系３００Ａは、例えば、被検眼網膜６１から反射して戻ってくる光束の一部を、反射光束を少なくとも１７本のビームに変換するための第１変換部材４００を介して第１受光部５１０に導く。第２の光源部１１０は、第２波長の光束を発する。第２照明光学系２００Ｂは、第２の光源部１１０からの第２光束で被検眼網膜６１上に所定の領域を照明する。第２受光光学系３００Ｂは、被検眼網膜６１から反射して戻ってくる第２光束を第２受光部５２０に導く。
以下、各部について詳細に説明する。
第１照明光学系２００Ａは、例えば、第１の光源部１００からの光束で被検眼眼底６１上で微小な領域を照明するためのものである。第１照明光学系２００Ａは、第１の集光レンズ２１０と、第１の正負一組のシリンダーレンズ（いわゆるバリアブルクロスシリンダー）２２０ａと、第１リレーレンズ２２０ｂとを備える。
第１の光源部１００は、空間コヒーレンスが高く、時間コヒーレンスは高くないものが望ましい。ここでは、一例として、第１の光源部１００には、ＳＬＤが採用されており、輝度が高い点光源を得ることができる。なお、第１の光源部１００は、ＳＬＤに限られるものではなく、レーザーの様に空間、時間ともコヒーレンスが高いものでも、回転拡散板などを挿入することにより、適度に時間コヒーレンスを下げることで利用できる。そして、ＬＥＤの様に、空間、時間ともコヒーレンスが高くないものでも、光量さえ充分であれば、ピンホール等を光路の光源の位置に挿入することで、使用可能になる。また、照明用の第１の光源部１００の波長は、例えば、赤外域の波長、例えば７８０ｎｍを使用することができる。
第１受光光学系３００Ａは、例えば、被検眼網膜６２から反射して戻ってきて第２のビームスプリッタ３４０を通過した光束を受光し第１受光部５１０に導くためのものである。第１受光光学系３００Ａは、第１のアフォーカルレンズ３１０と、第２の正負一組のシリンダーレンズ（いわゆるバリアブルクロスシリンダー）３２０ａと、第２リレーレンズ３２０ｂと、第２のビームスプリッタ３４０と、反射光束を少なくとも１７本のビームに変換するための変換部材４００とを備える。
第１受光光学系３００Ａに配置された変換部材４００は、反射光束を複数のビームに変換する波面変換部材である。なお、ここでは、変換部材４００には、光軸と直交する面内に配置された複数のマイクロフレネルレンズが採用されている。
第１受光部５１０は、変換部材４００を通過した第１の受光光学系３００Ａからの光を受光し、第１信号を生成するためのものである。第１受光部５１０は、第１の光源部１００と眼底６１が共役となっており、眼底６１と第１受光部５１０とが共役となっている。更に、変換部材４００と瞳孔も共役となっている。即ち、第１のアフォーカルレンズ３１０の前側焦点は、被検査対象物である被検眼６０の前眼部６２の瞳孔と略一致している。眼底６１からの反射光は、第１のアフォーカルレンズ３１０及び第２のバリアブルクロスシリンダー３２０ａを通過し、変換部材４００を介して、第１受光部５１０上に集光する。
そして、第１照明光学系２００Ａと第１受光光学系３００Ａとは、第１の光源部１００からの光束が集光する点で反射されたとして、その反射光による第１受光部５１０での信号ピークが最大となる関係を維持して、連動して移動し、第１受光部５１０での信号ピークが強くなる方向に移動し、強度が最大となる位置で停止する。
また、第１の集光レンズ２１０は、第１の光源部１００の拡散光を平行光に変換する。絞り２１０ａは、被検眼６０の瞳、あるいは変換部材（ハルトマンプレート）４００と光学的に共役の位置にある。絞り２１０ａは、径がハルトマンプレート４００の有効範囲より小さく、いわゆるシングルパスの収差計測（受光側だけに眼の収差が影響する方法）が成り立つ様になっている。第１リレーレンズ２２０ｂは、上記を満たすために、実光線の眼底共役点を前側焦点位置に、さらに、眼の瞳との共役関係を満たすために、後側焦点位置が絞り２１０ａと一致するように配置されている。
また、第１の光源部１００から出た入射光線は、眼底６１から拡散反射された測定光線と第２のビームスプリッタ３４０で共通光路になった後は、近軸的には、眼底６１から拡散反射された測定光線と同じ進み方をする。但し、シングルパス測定のときは、それぞれの光線の径は違い、入射光線のビーム径は、測定光線に比べ、かなり細く設定される。具体的には、入射光線のビーム径は、例えば、被検眼６０の瞳位置で１ｍｍ程度、測定光線のビーム径は、７ｍｍ程度になることもある。
第２照明光学系２００Ｂは、第２の光源部１１０からの第２光束で被検眼網膜上に所定の領域を照明するためのものである。第２の光源部１１０は、例えば波長８６０ｎｍの第２波長の光束を発するためのものである。第２照明光学系２００Ｂは、例えば、第２の光源部１１０と、第３の集光レンズ２３０と、第１のリング絞り２４０と、第４の集光レンズ２５０と、第２のリング絞り２６０と、レンズ２７０と、第１のビームスプリッタ３３０とを備える。第３の集光レンズ２３０と第１のリング絞り２４０とは、瞳を照明するためのものであり、第４の集光レンズ２５０と第２のリング絞り２６０とは、眼底６１を照明するためのものである。
第２の受光光学系３００Ｂは、例えば、第１のアフォーカルレンズ３１０と、第１のビームスプリッタ３３０と、第２の集光レンズ３５０とを備える。第１のアフォーカルレンズ３１０と第１のビームスプリッタ３３０との間に形成されたビームスプリッタ２８５で反射された第２波長の光は、第１のビームスプリッタ３３０、第２の集光レンズ３５０を介して第２受光部５２０に導く様に構成されている。第２受光部５２０は、第２信号を生成する。
ビームスプリッタ２８５は、例えば、第１波長の光束を反射するダイクロイックミラーで構成されている。また、第２のビームスプリッタ３４０とビームスプリッタ２８５との間には、眼底６１からの反射むら等による光を均一化するためのロータリープリズム３３２が配置されている。瞳孔とロータリープリズム３３２は略共役な関係となっている。
第１の光源部１００、第２の光源部１１０の２次光源に相当する第２リング絞り２６０と、眼底６１とが共役となっており、眼底６１と第１受光部５１０、第２受光部５２０とが共役となっている。更に、変換部材４００と瞳孔も共役となっており、瞳孔と第１のリング絞り２４０とが共役となっている。
第３受光光学系３０は、リレーレンズ３１、３２、３３、テレセン絞り３４、第３受光部（ここでは、例えば、前眼部観察ＣＣＤ）３５を備える。第３受光光学系３０は、第１調整用光学系５０に含まれるプラチドリング用光源部４２から照明されたプラチドリング４１のパターンが、被測定眼６０の前眼部６２から反射して戻ってくる光束を、第３受光部３５に導く。また、テレセン絞り３４は、例えば、前眼部像がぼけないようにするための絞りである。また、テレセン絞り３４とビームスプリッタ２８５との間には、ビームスプリッタ２８０が配置されている。なお、プラチドリング４１の代わりに、例えば、ケラトリングを用いるようにしてもよく、この場合、ケラト像により角膜６２の曲率中心付近だけのパターンを得ることができる。
第１調整用光学系５０は、例えば、作動距離調整を主に行うものであって、光源部５５と、集光レンズ５２、５３と、受光部５４とを備える。ここで、作動距離調整は、例えば、光源部５５から射出された光軸付近の平行な光束を、被測定眼６０に向けて照射すると共に、この被測定眼６０から反射された光を、集光レンズ５２、５３を介して受光部５４で受光することにより行われる。また、被測定眼６０が適正な作動距離にある場合、受光部５４の光軸上に、光源部５５からのスポット像が形成される。一方、被測定眼６０が適正な作動距離から前後に外れた場合、光源部５５からのスポット像は、受光部５４の光軸より上又は下に形成される。なお、受光部５４は、光源部５５、光軸、受光部５４を含む面内での光束位置の変化を検出できればいいので、例えば、この面内に配された１次元ＣＣＤ、ポジションセンシングデバイス（ＰＳＤ）等を適用できる。
第２調整用光学系７０は、例えば、ＸＹ方向のアライメント調整を行うものであって、アライメント用光源部７１と、レンズ７２と、ビームスプリッタ７３とを備える。
第３照明用光学系９０は、例えば、被検眼の固視や雲霧をさせる為の視標を投影する光路を含むものであって、第３光源部（例えば、ランプ）９１、固視標９２、リレーレンズ９３を備える。第３光源部９１からの光束で固視標９２を眼底６１に照射することができ、被検眼６０にその像を観察させる。
２．眼特性測定装置（Ｉ）
図２は、本発明に関する眼特性測定装置１０００の電気的構成を示す電気系ブロック図である。
眼特性測定装置１０００に関する電気駆動系は、演算部６００と、制御部６１０と、入力部６５０と、表示部７００と、メモリ８００と、第１の駆動部９１０と、第２の駆動部９１１と、第３の駆動部９１２と、第４の駆動部９１３と、第５の駆動部９１４と、第６の駆動部９１５とを備える。演算部６００は、例えば、測定データ判断部６０１と、第１修正部６０３と、測定結果判断部６０５と、第２修正部６０７と、各種眼特性測定を行う測定部とを備える。さらに、入力部６５０は、表示部７００に表示された適宜のボタン、アイコン、位置、領域等を指示するためポインティングデバイス、各種データを入力するためのキーボード等を備える。
また、演算部６００には、第１受光部５１０からの第１信号▲４▼と、第２受光部５２０からの第２信号▲５▼と、第３受光部３５からの信号▲７▼と、受光部５４からの信号（１４）が入力される様に構成されており、演算部６００は、第１受光部５１０からの第１信号▲４▼に基づき、被検眼６０の光学特性を求め、第２受光部５２０からの第２信号▲５▼に基づき、球面度数、乱視度数、乱視軸角度の演算及び第１照明光学系２００Ａの照明状態を検出する様になっている。また、演算部６００は、この演算結果に応じた信号を、電気駆動系の全体の制御を行う制御部６１０と、表示部７００（各種の表示例については、後述する。）と、メモリ８００とにそれぞれ出力する。なお、演算部６００は、例えば、光束の傾き角に対応する第１受光部５１０からの第１信号に基づき、被検眼６０の光学特性を求める。
測定データ判断部６０１は、例えば、第１受光部５１０からの第１信号に基づき（第１受光部５１０で得られた光束の傾き角に基づいて）、波面収差を求めるのに適切な測定データかどうかを判断する。第１修正部６０３は、例えば、測定データ判断部６０１が適切な測定データでないと判断したときに、後述する確認修正画面を表示させ、適切な測定データに修正する。
演算部６００は、さらに、測定データ判断部６０１が適切な測定データと判断した測定データ又は第１修正部６０３が修正した測定データに基づき、被検眼６０の波面収差を光学特性として演算する。また、測定結果判断部６０５は、例えば、演算部６００で求められた波面収差が適切であるかどうかを判断する。また、第２修正部６０７は、例えば、測定結果判断部６０５が適切な測定結果でないと判断したときに、確認修正画面を表示させ適切な測定データに修正する。
制御部６１０は、演算部６００からの制御信号に基づいて、第１の光源部１００の点灯、消灯を制御したり、第１の駆動部９１０〜第６の駆動部９１５を制御するためのものである。制御部６１０は、例えば、演算部６００での演算結果に応じた信号に基づいて、第１光源部１００に対して信号▲１▼を出力し、第２光源部１１０に対して信号（１２）を出力し、第３光源部９１に対して信号（１１）を出力し、光源部５５に対して信号（１３）を出力し、アライメント用光源部７１に対して信号（１６）を出力し、プラチドリング用光源部４２に対して信号▲６▼を出力し、さらに、第１駆動部９１０〜第６駆動部９１５に対して信号を出力する。
第１の駆動部９１０は、演算部６００に入力された第１受光部５１０からの信号▲４▼に基づいて、信号▲２▼を出力して、第１照明光学系２００Ａの第１のバリアブルクロスシリンダー２２０ａと、第１受光光学系３００Ａの第２のバリアブルクロスシリンダー３２０ａとを回動させるためのものである。第１の駆動部９１０は、適宜のレンズ移動手段を駆動させて、第１のシリンダーレンズ２２０ａを回動させて、被検眼の乱視成分を補正する様に構成されている。なお、この２つのバリアブルクロスシリンダーはなくてもよく、この補正を行わなくてもよい。
第２駆動部９１１は、例えば、演算部６００に入力された第１受光部５１０からの受光信号▲４▼に基づいて、第１照明光学系２００Ａ及び第１受光光学系３００Ａを光軸方向に移動させるものであり、図示しない適宜のレンズ移動手段に対して信号▲３▼を出力すると共に、このレンズ移動手段を駆動する。
第３駆動部９１２は、例えば、第３照明光学系９０の固視標９２を移動させるものであり、図示しない適宜の移動手段に対して信号（１５）を出力すると共に、この移動手段を駆動する。これにより、第３駆動部９１２は、第３照明光学系９０の固視標９２の移動、調節を行うことができる。
第４駆動部９１３は、例えば、ロータリープリズム３３２を回動させるものであり、図示しない適宜のレンズ移動手段に対して信号（１０）を出力すると共に、このレンズ移動手段を駆動する。
第５駆動部９１４は、例えば、演算部６００より第２光源部１１０へ出力された信号（１２）に基づいて、第２照明光学系２００Ｂを光軸方向に移動させるものであり、図示しない適宜のレンズ移動手段に対して信号▲９▼を出力すると共に、このレンズ移動手段を駆動する。
第６駆動部９１５は、例えば、演算部６００に入力された第２受光部５２０からの受光信号▲５▼に基づいて、第２受光光学系３００Ｂを光軸方向に移動させるものであり、図示しない適宜のレンズ移動手段に対して信号▲８▼を出力すると共に、このレンズ移動手段を駆動する。
（第１の実施の形態のフローチャート）
図３は、眼特性測定装置１０００の具体的な測定方法を示す第１の実施の形態のフローチャートである。ここでのフローチャートは、波面収差の表示の前に、解析に相応しいデータかどうかを判断し、相応しくないときには、確認修正画面を自動的に表示又は検者の指示により表示し、修正の上、波面収差を計算し表示を行う処理を示している。
測定が開始されると、まず、被検眼６０の位置のアライメント調整が行われる（Ｓ１１０１）。ここでは、例えば、検者の指示に従い、制御部６１０が、演算部６００からの制御信号に基づいて、所定の駆動部を制御して、アライメントを行い、被検眼６０と眼特性測定装置１０００の光学系とを適切な配置とする。
つぎに、演算部６００は、アライメント調整後、オートレフラクトメータによりレフ値の測定を行う（Ｓ１１０３）。演算部６００は、ステップＳ１１０３の測定に基づき、球面度数、乱視度数、乱視軸角度（Ｓ、Ｃ、Ａｘ）等のレフ値を求める（Ｓ１１０５）。演算部６００は、ステップＳ１１０５の後、第３受光光学系３０の第３受光部３５により、ケラト像を取得する（Ｓ１１０７）。なお、ステップＳ１１０７では、ケラト像を用いたが、その代わりにプラチドリング像を取得するようにしてもよい。さらに、演算部６００は、第１受光光学系３００Ａの第１受光部５１０により、ハルトマン像を取得する（Ｓ１１０９）。
演算部６００は、測定データの検出（例えば、ハルトマン像の各スポットの重心検出）及び波面収差等の眼光学特性の解析を行う（Ｓ１１１１）。なお、この解析が終了していなくても所定回数のハルトマン像の取得が行える。つぎに、演算部６００は、ステップＳ１１１１で検出した測定データを所定回数取得したか否かを判断する（Ｓ１１１３）。所定回数取得していない場合、再びステップＳ１１０１に戻りアライメント調整以降の処理が行われる。
一方、ステップＳ１１１３で測定データを所定回数取得した場合、測定データ判断部６０１は、測定データが解析（波面収差等の眼光学特性の測定）を行うのに適しているか否かを判定する（Ｓ１１１５）。測定データ判断部６０１は、例えば、ステップＳ１１１５において、次のいずれか又は組合わせた条件により、測定データの適否を判定することができる。
・スポット像の全体的な密度が所定値以上か否か？
・抽出スポットの数が所定数以上か否か？
・スポット像のレベルが所定レベル以上か否か？
測定データ判断部６０１がステップＳ１１１５で測定データが適切であると判断した場合、演算部６００は、適宜の検者が追加修正を希望しているか否かを判定する（Ｓ１１１７）。ステップＳ１１１７で検者が追加修正を希望していない場合、演算部６００は、ステップＳ１１３１の解析を行う。
一方、測定データ判断部６０１がステップＳ１１１５で測定データが解析を行うのに適していないと判断した場合、第１修正部６０３は、表示部７００に自動的に確認修正画面を表示し、確認修正モードに移行する（Ｓ１１２１）。また、この確認修正画面は、ステップＳ１１１７で検者が追加修正を希望している場合にも表示され、確認修正モードに移行する。
ここで、確認修正モードについて説明する。
図４は、確認修正画面の表示例を示す図である。
確認修正画面には、例えば、ハルトマン像の各スポット（図中、○印）を表示する。また、確認修正画面には、例えば、スポットの重心を＋で示す「ｐｏｉｎｔ」モードと、各スポット同士を格子状に結んだ状態で表示させる「ｎｅｔ」モードと、各スポットに適宜の座標値を付した状態で表示させる「ｎｕｍｂｅｒ」モードとがあり、これらのモードを選択するためのモード選択ボタン（「ｐｏｉｎｔ」「ｎｅｔ」「ｎｕｍｂｅｒ」）が含まれる。なお、これらのモードは重複して選択・表示することができる。また、確認修正画面は、後述する「スポットの重心検出」、「点の消去」、「ダミー点（ダミー点の付加」を実行するための実行ボタンをさらに含む。
つぎに、確認修正画面において、検者の指示に従い、これらのモード選択ボタン（「ｐｏｉｎｔ」「ｎｅｔ」「ｎｕｍｂｅｒ」）がそれぞれ選択された場合について具体的に示す。
図５は、モード選択ボタンがそれぞれ選択された場合の確認修正画面を示す図である。
まず、図５（ａ）は、「ｐｏｉｎｔ」モードが選択された状態を示している。図５（ｂ）は、「ｎｅｔ」モードが選択された状態を示している。また、図５（ｃ）では、「ｎｕｍｂｅｒ」モードが選択された状態を示している。
ここで、再び図３に戻って説明すると、第１修正部６０３は、確認修正画面上でスポットに関する追加、削除を行う（Ｓ１１２３）。以下、ステップＳ１１２３について説明する。
図６は、確認修正画面上の実行ボタン「スポットの重心検出」を選択した場合を示す図である。
ステップＳ１１２３の処理としては、例えば、確認修正画面において実行ボタン「スポットの重心検出」が選択された場合、第１修正部６０３は、ポインティングデバイス、キーボード等の入力部６５０を用いて適宜の検者によりスポット重心を追加したい領域が選択されると、スポット重心検出を行う。スポット重心を追加したい領域を囲うには、例えば、矩形、もしくは楕円等の対角線上にマウスポインタを動かすようにする、もしくは自由曲線で囲う等が挙げられる。なお、スポットの重心検出では、全スポットを含む領域において、スポットを抽出する際の光量レベルの閾値を変更することで重心検出を行うことができる。例えば、スポットの重心検出では、例えば、各スポットのぼけが含まれる領域を矩形、もしくは楕円等で囲み、全体のシェーディングも考慮し、例えば、シェーディング背景、ノイズ成分を除去すること等により、スポットの重心検出を行うことができる（シェーディング補正）。重心検出はこの場合は領域ごとに１点としているが、領域内に複数点検出するような設定にすることも可能である。
図７は、確認修正画面上の実行ボタン「点の消去」を選択した場合を示す図である。
ステップＳ１１２３の処理としては、例えば、確認修正画面において実行ボタン「点の消去」が選択された場合、第１修正部６０３は、ポインティングデバイス、キーボード等の入力部６５０を用いて適宜の検者によりスポット重心を削除したい領域が選択されると、それを検出し、領域内のスポット重心の削除を行う。ここで、スポットの重心を削除するには、その削除したいスポット重心が含まれる領域を、上述のスポットの重心検出を行う場合と同様な方法で囲むことができる。
図８は、確認修正画面上の実行ボタン「ダミー点」を選択した場合を示す図である。
まず、図８（ａ）は、「ｐｏｉｎｔ」モードが選択された状態を示している。ここでは、領域Ａにおいてスポットが抽出されていない。このため、測定データ判断部６０１は、例えば、ステップＳ１１１５で測定データが不適切と判定することになる。また、図８（ｂ）は、「ｎｅｔ」モードが選択された状態を示している。ここでは、図８（ａ）の領域Ａにおいてスポットが抽出されていないため、領域Ａ付近の格子の対応付けが間違っている。また、図８（ｃ）では、「ｎｕｍｂｅｒ」モードが選択された状態を示している。ここでは、図８（ａ）の領域Ａにおいてスポットが抽出されていないため、各領域Ａ付近のスポットの座標値は領域Ａを飛ばして付されている。
ここで、正しい格子点との対応付けをするために、ステップＳ１１２３の処理としては、例えば、確認修正画面において実行ボタン「ダミー点」が選択された場合、第１修正部６０３は、ポインティングデバイス、キーボード等の入力部６５０を用いて適宜の検者により収差解析には使用しないダミー点を追加したい箇所（例えば、領域Ａに含まれる点）が選択されると、その箇所にダミー点を追加する。なお、領域Ａにダミー点が追加されると、各スポットが略均一となり、確認修正画面は、例えば、図５に示した各モードの確認修正画面のようになる。
ここで、再び図３に戻って説明すると、演算部６００は、「ＯＫ」ボタンが押された後、ステップＳ１１２３により追加、削除された修正データに基づいて、再解析を行い（Ｓ１１２５）、解析（波面収差等の眼光学特性の測定）を行う（Ｓ１１３１）。「Ｃａｎｃｅｌ」ボタンが押された場合、確認修正モードで変更された事柄については無視し、自動検出されたもとの解析結果を用いる。
演算部６００は、ステップＳ１１３１での解析を行った後、表示部７００に各種表示対象を表示する（Ｓ１１３３）。表示対象としては、例えば、眼底像として重心／格子マップ、角膜像として抽出したケラトリング又はプラチドリング、瞳エッジ、また、波面測定値、前眼部画像、ハルトマン画像、レフ値、波面収差等がある。
つぎに、演算部６００は、ステップＳ１１３３の表示を行った後、測定を終了するか否かを判定し（Ｓ１１３５）、測定を終了する場合は、測定を終了する。一方、ステップＳ１１３５において測定を終了しない場合は、再び、ステップＳ１１０１へ戻りアライメント調整が行われる。
（第２の実施の形態のフローチャート）
図９は、眼特性測定装置１０００の具体的な測定方法を示す第２の実施の形態のフローチャートである。なお、上述のフローチャートと重複する処理等については、冗長とならない程度に説明する。また、ここでのフローチャートは、波面収差の演算・表示を行い、その後に、解析結果が適切であったかどうかを判断し、不適切な解析結果の場合には、確認修正画面を表示又は検者の指示により表示し、修正の上、波面収差を計算し表示を行う処理を示している。
測定が開始されると、まず、被検眼６０の位置のアライメント調整が行われる（Ｓ１２０１）。演算部６００は、アライメント調整後、オートレフラクトメータによりレフ値の測定を行う（Ｓ１２０３）。演算部６００は、ステップＳ１２０３の測定に基づき、球面度数、乱視度数、乱視軸角度（Ｓ、Ｃ、Ａｘ）等のレフ値を求める（Ｓ１２０５）。演算部６００は、第３受光光学系３０の第３受光部３５により、ケラト像又はプラチドリング像を取得し（Ｓ１２０７）、さらに、第１受光光学系３００Ａの第１受光部５１０により、ハルトマン像を取得する（Ｓ１２０９）。
つぎに、演算部６００は、解析（波面収差等の光学特性の測定）を行い（Ｓ１２１１）、ステップＳ１２１１で検出した解析データを所定回数取得したか否かを判断する（Ｓ１２１３）。なお、解析が終了していなくても所定回数のハルトマン像の取得が行える。所定回数取得していない場合、再びステップＳ１２０１に戻りアライメント調整が行われる。一方、ステップＳ１２１３で測定データを所定回数取得した場合、演算部６００は、ステップＳ１２１１の解析結果を表示部７００に表示する（Ｓ１２１５）。表示部７００には、第１の実施の形態のフローチャートの確認修正モードと同様なハルトマン像と、「ｐｏｉｎｔ」「ｎｅｔ」「ｎｕｍｂｅｒ」の表示ボタンのみがある表示も同時に表示される。また、測定結果判断部６０５は、ステップＳ１２１１の解析結果が適切か否かを判定する（Ｓ１２１７）。
測定結果判断部６０５は、例えば、ステップＳ１２１７において、次のいずれか又は組合わせた条件により、解析結果の適否を判定することができる。
・波面成分のゼルニケ係数のデフォーカス項（Ｚ２０、後述）の成分がゼロに近いか否か？
・屈折率の大きな角膜収差と被検眼の波面収差のゼルニケ係数が同じ傾向か否か？
・個人カルテ（以前測定されたデータベース内）のデータと比較して同様か？
・同一被検眼で今回測定した複数のデータ同士を比較してほぼ同じかどうか？
ここで、ゼルニケ係数の意味について説明すると、例えば、Ｚ００は定数項、Ｚ１−１はチルト項、Ｚ１１はチルト項、Ｚ２−２は乱視成分、Ｚ２０は球面度数成分、Ｚ２２は乱視成分、Ｚ３−３は矢状収差、Ｚ３−１は３次コマ収差、Ｚ３１は３次コマ収差、Ｚ３３は矢状収差、Ｚ４−２は３次非点収差、Ｚ４０は３次球面収差、Ｚ４２は３次非点収差、Ｚ５−１は５次コマ収差、Ｚ５１は５次コマ収差、Ｚ６０は５次球面収差をそれぞれ意味する。なお、図２０、図２１にゼルニケ多項式についての説明図（１）及び（２）を示す。
つぎに、ステップＳ１２１７で解析結果が適切でない場合、第２修正部６０７は、表示部７００に自動的に確認修正画面を表示し、追加修正モードに移行する（Ｓ１２２１）。その後、第２修正部６０７は、上述の第１の実施の形態のフローチャートの確認修正モードと同様に、確認修正画面上でスポットに関する追加、削除を行う（Ｓ１２２３）。つぎに、演算部６００は、この追加、削除された修正データに基づいて再解析を行う（Ｓ１２２５）。
つぎに、演算部６００は、ステップＳ１２２５の再解析による解析結果を表示部７００に表示する（Ｓ１２１５）。なお、演算部６００は、ステップＳ１２１７で解析結果が適切であっても、適宜の検者が追加修正を希望しているか否かを判定する（Ｓ１２１９）。ステップＳ１２１９で検者が追加修正を希望している場合は、第２修正部６０７は、上述のステップＳ１２２１を行う。一方、追加修正を希望していない場合、演算部６００は、測定を終了するか否かを判定し（Ｓ１２２７）、測定を終了する場合は、測定を終了する。一方、ステップＳ１２２７において測定を終了しない場合は、再び、ステップＳ１２０１へ戻りアライメント調整以降の処理が行われる。なお、測定終了後に解析結果を表示部７００に表示させたときに再解析を行うこともできる。
（第３の実施の形態のフローチャート）
図１０は、眼特性測定装置１０００の具体的な測定方法を示す第３の実施の形態のフローチャートである。なお、上述の第１及び第２の実施の形態のフローチャートと重複する処理等については、同一符号を付し、機能は同様である。
このフローチャートは、例えば、第１の実施の形態のフローチャートと、第２の実施の形態のフローチャートとを組合わせたものである。具体的には、このフローチャートでは、第１の実施の形態のフローチャートにおけるステップＳ１１３１で解析（波面収差等の眼光学特性の測定）を行い、ステップＳ１１３３の表示を行った後、第２の実施の形態のフローチャートにおけるステップＳ１２１７〜２２７の処理を行う。
このフローチャートでは、ステップＳ１１３１の解析前に確認修正モードにおいて第１修正部６０３よりデータの修正を行い、さらに、ステップＳ１１３１の解析後にも追加修正モードにおいて第２修正部６０７によりデータの修正を行うことができる。
なお、上述の確認修正モードでの第１修正部６０３による確認修正画面の表示（Ｓ１１２１）、及び／又は、追加修正モードでの第２修正部６０７による確認修正画面の表示（Ｓ１２２１）を行う際、集団検診向けモードを実行するようにしてもよい。具体的には、複数の被験者のデータと、このデータから得られた解析（波面収差）結果とを、平均的な（正常な）データ及び解析結果として予めメモリ８００に蓄積し、さらに、集団検診の際、測定データ判断部６０１及び／又は測定結果判断部６０５は、検診を受けた各個人のデータ及び解析結果と、平均的な（正常な）データ及び解析結果との比較を行い、不適切な解析結果が得られた場合に再測定のアラームを出すようにしてもよい。
３．眼特性測定装置（ＩＩ）
図１１は、本発明に関する眼特性測定装置１０００の電気的構成を示す電気系ブロック図である。
眼特性測定装置１０００に関する電気駆動系は、演算部６００と、制御部６１０と、入力部６５０と、表示部７００と、メモリ８００と、第１の駆動部９１０と、第２の駆動部９１１と、第３の駆動部９１２と、第４の駆動部９１３と、第５の駆動部９１４と、第６の駆動部９１５とを備える。演算部６００は、例えば、測定結果判断部６０５と、修正部６３７と、ピーク抽出部６３１と、格子点決定部６３３と、格子点判断部６３５と、各種眼特性測定を行う測定部とを備える。さらに、入力部６５０は、表示部７００に表示された適宜のボタン、アイコン、位置、領域等を指示するためポインティングデバイス、各種データを入力するためのキーボード等を備える。
また、演算部６００には、第１受光部５１０からの第１信号▲４▼と、第２受光部５２０からの第２信号▲５▼と、第３受光部３５からの信号▲７▼と、受光部５４からの信号（１４）が入力される様に構成されており、演算部６００は、第１受光部５１０からの第１信号▲４▼に基づき、被検眼６０の光学特性を求め、第２受光部５２０からの第２信号▲５▼に基づき、球面度数、乱視度数、乱視軸角度の演算及び第１照明光学系２００Ａの照明状態を検出する様になっている。また、演算部６００は、この演算結果に応じた信号を、電気駆動系の全体の制御を行う制御部６１０と、表示部７００（各種の表示例については、後述する。）と、メモリ８００とにそれぞれ出力する。なお、演算部６００は、例えば、光束の傾き角に対応する第１受光部５１０からの第１信号に基づき、被検眼６０の光学特性を求める。
ピーク抽出部６３１は、例えば、第１受光部５１０からの第１信号に基づき、スポット像のピーク抽出を行う。また、格子点決定部６３３は、例えば、ピーク抽出部６３１により抽出されたスポット像のピークに基づき、水平方向の中心軸付近から、格子点の列番号を決定し、その後、決定された列番号のスポット像位置に基づき行番号を決定することにより、格子点座標を決定する。
格子点判断部６３５は、例えば、格子点決定部６３３で決定された格子点が適切かどうかを判断する。さらに、格子点判断部６３５が、例えば、格子点決定部６３３で決定された格子点座標が適切でないと判断した場合、格子点決定部６３３は、先に決定した軸（例えば、水平方向、鉛直方向）の方向と異なる軸方向から格子点を決定しなおす。
演算部６００は、さらに、格子点決定部６３３で決定された各スポットの格子点座標に基づき、被検眼６０の波面収差を光学特性として演算する。また、測定結果判断部６０５は、例えば、演算部６００で求められた波面収差が適切であるかどうかを判断する。また、修正部６３７は、例えば、測定結果判断部６０５が適切な測定結果でないと判断したときに、確認修正画面を表示させ適切な測定データに修正する。
制御部６１０、第１〜第６の駆動部９１０〜９１５は、「２．眼特性測定装置（Ｉ）」で説明した構成及び動作と同様である。
（第１の実施の形態のフローチャート）
図１２は、眼特性測定装置１０００の具体的な測定方法を示す第１の実施の形態のフローチャートである。ここでのフローチャートは、ハルトマン像のスポットと格子点座標とを対応させる際、水平方向から格子点座標を決定する自動解析モードを実行した後、波面収差の演算・表示を行い、その後に、解析結果が適切であったかどうかを判断し、不適切な解析結果の場合には、確認修正画面を表示又は検者の指示により表示し、修正の上、波面収差を計算し表示を行う処理を示している。
測定が開始されると、まず、被検眼６０の位置のアライメント調整が行われる（Ｓ１０１）。ここでは、例えば、検者の指示に従い、制御部６１０が、演算部６００からの制御信号に基づいて、所定の駆動部を制御して、アライメントを行い、被検眼６０と眼特性測定装置１０００の光学系とを適切な配置とする。
つぎに、演算部６００は、アライメント調整後、オートレフラクトメータによりレフ値の測定を行う（Ｓ１０３）。演算部６００は、ステップＳ１０３の測定に基づき、球面度数、乱視度数、乱視軸角度（Ｓ、Ｃ、Ａｘ）等のレフ値を求める（Ｓ１０５）。演算部６００は、ステップＳ１０５の後、第３受光光学系３０の第３受光部３５により、ケラト像を取得する（Ｓ１０７）。なお、ステップＳ１０７では、ケラト像を用いたが、その代わりにプラチドリング像を取得するようにしてもよい。さらに、演算部６００は、第１受光光学系３００Ａの第１受光部５１０により、ハルトマン像を取得する（Ｓ１０９）。
ピーク抽出部６３１は、例えば、ステップＳ１０９で取得したハルトマン像のスポット像の抽出を行う（Ｓ１１１）。演算部６００は、ケラト像・ハルトマン像の表示を行う（Ｓ１１５）。つぎに、格子点決定部６３３は、解析オプション設定を行うか否かを判定し（Ｓ１１７）、解析オプション設定を行う場合、オプション設定（格子点決定軸の選択、ハルトマン像・前眼部像の選択など）を行う（Ｓ１１８−１）。一方、格子点決定部６３３は、ステップＳ１１７で解析オプション設定を行わない場合、又は、ステップＳ１１８−１のオプション設定の後、再び、格子点の決定を行う（Ｓ１１９−１：自動解析モード）。なお、このオプション設定は測定を始める前にあらかじめ設定しておくこともできる。
以下、格子点決定部６３３の自動解析モード（「ハルトマン像」「前眼部像」）の処理（ステップＳ１１９−１）について説明する。
図１３は、自動解析モード（ハルトマン像）の処理を示すフローチャート（１）である。
まず、格子点決定部６３３は、自動解析モード（ハルトマン像）に移行すると（Ｓ１５１）、格子点決定部６３３は、解析対象のハルトマン画像の決定を行う（Ｓ１５３）。ピーク抽出部６３１は、解析対象のハルトマン画像のスポット像のピーク（重心）抽出を行う（Ｓ１５５）。格子点決定部６３３は、例えば、ステップＳ１５５で抽出されたスポット像のピークに基づいて、仮中心点の決定を行う（Ｓ１５７）。つぎに、格子点決定部６３３は、例えば、ステップＳ１１８−１で行われたオプション設定で選択された格子点決定軸は横方向か否かを判定する（Ｓ１５９）。
格子点決定部６３３は、例えば、ステップＳ１５９で格子点決定軸が横方向である場合、中心軸付近の横方向の格子点の列番号の決定し（Ｓ１６１）、その後、中心軸から順に縦方向に行番号を決定する（Ｓ１６３）。なお、ステップＳ１６１及びＳ１６３の処理は、水平方向を優先した第１モードである。一方、格子点決定部６３３は、例えば、ステップＳ１５９で格子点決定軸が縦方向である場合、中心軸付近の縦方向の格子点の行番号の決定し（Ｓ１６７）、その後、中心軸から順に横方向に列番号を決定する（Ｓ１６９）。なお、ステップＳ１６７及びＳ１６９の処理は、鉛直方向を優先した第２モードである。つぎに、格子点決定部６３３は、例えば、格子点に行番号及び列番号を付した格子点マップを形成し、表示する（Ｓ１６５）。なお、第１モード又は第２モードの選択は、ステップＳ１１７「解析オプション設定？」で「オプション設定有り」を選択し、ステップＳ１１８−１で入力部６５０により「格子点決定軸の選択」の処理を行うことで、可能である。ここでは、例えば、デフォルト値として格子点決定軸は横方向とすることができる。
また、ステップＳ１５９、Ｓ１６７、Ｓ１６９を省略してステップＳ１６１、Ｓ１６３による横方向優先の第１モードのみで処理を実行するようにしてもよい。図１４に、横方向のみの場合の自動解析モードの処理を表すフローチャートを示す。各ステップの動作は、上述の対応するステップの処理と同様である。
図１５は、格子点に行及び列番号を付す際のスポットを示す図である。
格子点決定部６３３は、例えば、ステップＳ１６１において、中心軸付近の横方向の格子点の列番号を決定する。なお、格子点決定軸が横方向となる場合について説明すると、参照格子点とずれが生じる場合、ハルトマン像のスポット像には、例えば、水平方向の格子間隔は略一定であり、鉛直方向の格子間隔に粗密が生じる傾向がある（図１５（ａ））。原因としては、例えば、乱視の傾向として乱視軸角度が垂直に近い直乱視が多いことから、ハルトマン像が縦方向に縮むことが想定される。図１５（ａ）は、水平方向の格子点の列番号の決定例を示している。まず、格子点決定部６３３は、格子点の対応付けをするときの中心（０，０）を適当な位置とし、各格子点の水平方向へ列番号を付す。ここでは、（（−５，０）、…、（０，０）、…、（５，０））。なお、格子点決定部６３３は、各格子点の横方向へ列番号を付した後、上述のように、ステップＳ１６３で中心軸から順に縦方向に格子点の行番号を決定する。格子点決定部６３３は、例えば、ステップＳ１６７において、中心軸付近の縦方向の格子点の行番号を決定する。
つぎに、格子点決定軸が縦方向となる場合について説明すると、倒乱視、角膜異常、角膜手術の失敗等による眼は、例えば、水平方向の格子間隔が粗密となることがある（図１５（ｂ））。図１５（ｂ）は、鉛直方向の格子点の行番号の決定例を示している。まず、格子点決定部６３３は、格子点の対応付けをするときの中心（０，０）を適当な位置とし、各格子点の鉛直方向へ行番号を付す。ここでは、（（０，−５）、…、（０，０）、…、（０，５））。なお、格子点決定部６３３は、各格子点の縦方向へ行番号を付した後、上述のように、ステップＳ１６９で中心軸から順に横方向に格子点の列番号を決定する。
ステップＳ１７０においては、ステップＳ１６５で表示された格子点マップを確認して、例えば、選択されている格子点決定軸方向でのスポット像の間隔が不揃いであるような場合など、格子点決定軸を変更した方が良いと判断した場合には、ステップＳ１７１へ進む。具体的には、測定結果判断部６０５が、得られたスポット像に基づき、例えば、次のいずれか又は組合わせた条件により格子点マップの適否を判定することができる。
・スポット像の全体的な密度が所定値以上か否か？
・抽出スポットの数が所定数以上か否か？
・スポット像のレベルが所定レベル以上か否か？
ステップＳ１７１では、現在設定されている格子点決定軸を変更し、すなわち縦方向に設定されている場合には、横方向に、逆に縦方向に設定されていた場合には、横方向に変更し、ステップＳ１５９に進み、変更された格子点決定軸に従って格子点マップが新たに形成される。ステップＳ１７０で格子点決定軸を変更する必要がないと判断した場合には、自動解析モードが終了し、ステップＳ１２１に進む。
ここで、再び図１２に戻って説明すると、演算部６００は、解析（波面収差等の光学特性の測定）を行い（Ｓ１２１）、ステップＳ１２１で検出した測定データを所定回数取得したか否かを判断する（Ｓ１２３）。所定回数取得していない場合、再びステップＳ１０１に戻りアライメント調整以降の処理が行われる。一方、ステップＳ１２３で測定データを所定回数取得した場合、演算部６００は、ステップＳ１２１による各種表示対象の解析結果を表示部７００に表示する（Ｓ１２５）。表示対象としては、例えば、上述の処理で算出された、眼底像として重心／格子マップ、角膜像として抽出したケラトリング又はプラチドリング、瞳エッジ、また、波面測定値、前眼部画像、ハルトマン画像、レフ値、波面収差等がある。また、測定結果判断部６０５は、ステップＳ１２１の解析結果が適切か否かを判定する（Ｓ１２７）。
測定結果判断部６０５は、例えば、ステップＳ１２７において、次のいずれか又は組合わせた条件により、解析結果の適否を判定することができる。
・波面成分のゼルニケ係数のデフォーカス項（Ｚ２０、後述）の成分がゼロに近いか否か？
・屈折率の大きな角膜収差と被検眼の波面収差のゼルニケ係数が同じ傾向か否か？
・個人カルテ（以前測定されたデータベース内）のデータと比較して同様か？
・同一被検眼で今回測定した複数のデータ同士を比較して同じかどうか？
つぎに、ステップＳ１２７で解析結果が適切でない場合、修正部６３７は、表示部７００に自動的に確認修正画面を表示し、追加修正モードに移行する（Ｓ１３１）。
ここで、追加修正モードについて説明する。なお、後述する「ｎｕｍｂｅｒ」モードに付された格子点の座標値は、上述のステップＳ１１９により決定された格子点の行及び列番号である。
上述の図４は、確認修正画面の表示例を示す図である。
つぎに、確認修正画面において、検者の指示に従い、これらのモード選択ボタン（「ｐｏｉｎｔ」「ｎｅｔ」「ｎｕｍｂｅｒ」）がそれぞれ選択された場合について具体的に示す。
上述の図５は、モード選択ボタンがそれぞれ選択された場合の確認修正画面を示す図である。
ここで、再び図１２に戻って説明すると、修正部６３７は、確認修正画面上でスポットに関する追加、削除を行う（Ｓ１３３）。以下、ステップＳ１３３について説明する。
上述の図６は、確認修正画面上の実行ボタン「スポットの重心検出」を選択した場合を示す図である。
ステップＳ１３３の処理としては、例えば、確認修正画面において実行ボタン「スポットの重心検出」が選択された場合、修正部６３７は、ポインティングデバイス、キーボード等の入力部６５０を用いて適宜の検者によりスポット重心を追加したい領域が選択されると、スポット重心検出を行う。スポット重心を追加したい領域を囲うには、例えば、矩形、もしくは楕円等の対角線上にマウスポインタを動かすようにする、もしくは自由曲線で囲う等が挙げられる。
なお、スポットの重心検出では、全スポットを含む領域において、スポットを抽出する際の光量レベルの閾値を変更することで重心検出を行うことができる。例えば、スポットの重心検出では、例えば、各スポットのぼけが含まれる領域を矩形、もしくは楕円等で囲み、全体のシェーディングも考慮し、例えば、シェーディング背景、ノイズ成分を除去すること等により、スポットの重心検出を行うことができる（シェーディング補正）。重心検出はこの場合は領域ごとに１点としているが、領域内に複数点検出するような設定にすることも可能である。
上述の図７は、確認修正画面上の実行ボタン「点の消去」を選択した場合を示す図である。
ステップＳ１３３の処理としては、例えば、確認修正画面において実行ボタン「点の消去」が選択された場合、修正部６３７は、ポインティングデバイス、キーボード等の入力部６５０を用いて適宜の検者によりスポット重心を削除したい領域が選択されると、それを検出し、領域内のスポット重心の削除を行う。ここで、スポットの重心を削除するには、その削除したいスポット重心が含まれる領域を、上述のスポットの重心検出を行う場合と同様な方法で囲むことができる。
上述の図８は、確認修正画面上の実行ボタン「ダミー点」を選択した場合を示す図である。
まず、図８（ａ）は、「ｐｏｉｎｔ」モードが選択された状態を示している。ここでは、領域Ａにおいてスポットが抽出されていない。このため、測定結果判断部６０５は、例えば、ステップＳ１２７で解析結果が不適切と判定することになる。また、図８（ｂ）は、「ｎｅｔ」モードが選択された状態を示している。ここでは、図８（ａ）の領域Ａにおいてスポットが抽出されていないため、領域Ａ付近の格子の対応付けが間違っている。また、図８（ｃ）では、「ｎｕｍｂｅｒ」モードが選択された状態を示している。ここでは、図８（ａ）の領域Ａにおいてスポットが抽出されていないため、各領域Ａ付近のスポットの座標値は領域Ａを飛ばして付されている。
ここで、正しい格子点との対応付けをするためにステップＳ１３３の処理としては、例えば、確認修正画面において実行ボタン「ダミー点」が選択された場合、修正部６３７は、ポインティングデバイス、キーボード等の入力部６５０を用いて適宜の検者により、収差解析には使用しないダミー点を追加したい箇所（例えば、領域Ａに含まれる点）が選択されると、その箇所にダミー点を追加する。なお、領域Ａにダミー点が追加されると、各スポットが略均一となり、確認修正画面は、例えば、図５に示した各モードの確認修正画面のようになる。
ここで、再び図１２に戻って説明すると、演算部６００は、「ＯＫ」ボタンが押された後、ステップＳ１３３により追加、削除された修正データに基づいて、再解析を行う（Ｓ１３５）。
つぎに、演算部６００は、ステップＳ１３５の再解析による解析結果を表示部７００に表示する（Ｓ１２５）。なお、演算部６００は、ステップＳ１２７で解析結果が適切であっても、適宜の検者が追加修正を希望しているか否かを判定する（Ｓ１２９）。ステップＳ１２９で検者が追加修正を希望している場合は、修正部６３７は、上述のステップＳ１３１を行う。一方、追加修正を希望していない場合、演算部６００は、測定を終了するか否かを判定し（Ｓ１３７）、測定を終了する場合は、測定を終了する。一方、ステップＳ１３７において測定を終了しない場合は、再び、ステップＳ１０１へ戻りアライメント調整以降の処理が行われる。
ここで、ステップＳ１１８−１のオプション設定についてさらに説明すると、上述のように、格子点決定部６３３は、格子点の修正に関する処理を指示する入力部６５０の指示に従い、格子点決定軸の変更を行う（ここでは、横軸を縦軸へ変更する）ことの他に、次のようなオプションを設定できる。すなわち、自動解析モードを上述ではハルトマン像に関して処理したが、前眼部像（ケラト像又はプラチドリング等）に関して処理することができる（「ハルトマン像、前眼部線の選択」）。このモードが設定されると、図１３で詳細に示したステップＳ１１９−１の代わりに次のようなフローチャートが実行される。このフローチャートでは、格子点の代わりにプラチドリング像から得られるリング番号が決定される。
図１６は、自動解析モード（前眼部像）の処理を示すフローチャートである。
まず、格子点決定部６３３は、自動解析モード（前眼部像）に移行すると（Ｓ１７１）、格子点決定部６３３は、例えば、解析対象の前眼部画像の決定を行う（Ｓ１７３）。ピーク抽出部６３１は、解析対象の前眼部画像のプラチドリング像の（重心）抽出を行う（Ｓ１７５）。格子点決定部６３３は、例えば、ステップＳ１７５で抽出されたプラチドリング像の重心に基づいて、中心点の決定を行う（Ｓ１７７）。
つぎに、格子点決定部６３３は、ステップＳ１７７で決定された中心点に基づいて、プラチドリング像のリング番号の決定を行う（Ｓ１７９）。格子点決定部６３３は、瞳エッジを抽出し（Ｓ１８１）、瞳中心、近似した楕円を算出する（Ｓ１８３）。さらに、格子点決定部６３３は、ケラトリングマップ又はプラチドリングマップ、瞳エッジマップを形成する（Ｓ１８５）。
図１７に、プラチドリングマップ、瞳エッジマップの説明図を示す。
ここでは、瞳エッジマップとして、例えば、複数の瞳エッジ点３０１を含む瞳エッジ３０２が示され、さらに、プラチドリングマップとして、例えば、複数のリング３０３が示されている。なお、それぞれのリング３０３には、リング番号（ここでは、０、１、２、３、４、５）が付されている。
前眼部像に関する処理が設定されると、ステップＳ１３１〜Ｓ１３３の処理の代わりに、次のような修正（追加、削除等）処理が必要に応じて実行される。例えば、格子点決定部６３３は、入力部６５０の指示に従い、ステップＳ１８１で抽出された瞳エッジ点を修正する場合、瞳エッジ点の追加、削除を行う。また、格子点決定部６３３は、ステップＳ１７５で抽出されたプラチドリング重心点を修正する場合、プラチドリング重心点の追加、削除を行う。また、格子点決定部６３３は、ステップＳ１７９で決定されたリング番号を変更する場合、リング番号の変更を行う。
（第２の実施の形態のフローチャート）
図１８は、眼特性測定装置１０００の具体的な測定方法を示す第２の実施の形態のフローチャートである。なお、上述の第１の実施の形態のフローチャートと重複する処理等については、同一符号を付し、機能は同様である。
ここでのフローチャートは、ハルトマン像のスポットと格子点とを対応させる際、格子点の決定する方向を変更可能（例えば、水平方向から垂直方向への変更）である処理を示している。その他の処理は上述のフローチャートと重複する。
このフローチャートでは、第１の実施の形態のフローチャートにおける自動解析モードに含まれる処理（ステップＳ１１８−１、Ｓ１１９−１）の代わりに、ステップＳ１１８−２、Ｓ１１９−２の処理を行う。ステップＳ１１８−２では、格子点決定軸の選択は行わずに、ハルトマン像又は前眼部像の選択を行うことができる。以下、特に、格子点決定部６３３の自動解析モード（「ハルトマン像」）の処理について説明する。なお、自動解析モード（前眼部像）が選択された場合、その処理は、第１の実施の形態における説明、例えば、図１６のフローチャート（Ｓ１７１〜Ｓ１８５）及びその説明と同様である。
自動解析モード（ステップＳ１１９−２）の処理概要は、まず、ステップＳ１１５によるケラト像・ハルトマン像の表示に関して、格子点判断部６３５は、例えば、格子点が適切に抽出されたか否かを判定する。つぎに、格子点決定部６３３は、例えば、格子点が適切に抽出されなかった場合、格子点決定軸の順序の変更の後、再び、格子点を決定する。一方、格子点が適切に抽出された場合、格子点決定部６３３は、格子点を決定する。
図１９は、自動解析モード（ハルトマン像）の処理を示すフローチャート（２）である。
まず、格子点決定部６３３は、自動解析モード（ハルトマン像）に移行すると（Ｓ２５１）、格子点決定部６３３は、解析対象のハルトマン画像の決定を行う（Ｓ２５３）。ピーク抽出部６３１は、決定されたハルトマン画像のピーク（重心）抽出を行う（Ｓ２５５）。つぎに、格子点決定部６３３は、仮中心点の決定を行い（Ｓ２５７）、中心軸付近の横方向の格子点の列番号の決定し（Ｓ２５９）、その後、中心軸から順に縦方向に行番号を決定する（Ｓ２６１）。なお、ステップＳ２５９及びＳ２６１の処理は、水平方向を優先した第１モードである。
つぎに、格子点決定部６３３は、決定された格子点の行及び列番号に基づいて、格子点マップを形成する（Ｓ２６３）。ここで、格子点判断部６３５は、ステップＳ２６３で形成された格子点マップが適切か否かを判定する（Ｓ２６５）。格子点判断部６３５は、例えば、ステップＳ２６５において、次のいずれか又は組合わせた条件により、格子点マップの適否を判定することができる。
・スポット像の全体的な密度が所定値以上か否か？
・抽出スポットの数が所定数以上か否か？
・スポット像のレベルが所定レベル以上か否か？
格子点決定部６３３は、格子点マップが適切であれば、自動解析モードを終了する。一方、ステップＳ２６５で形成された格子点マップが適切でない場合、格子点決定部６３３は、このとき横方向の格子点の列番号より縦方向に行番号を先に決定したかどうか判定する（Ｓ２６６）。もし、まだ縦方向の行番号から決定していなければ、中心軸付近の縦方向の行番号を決定し（Ｓ２６７）、その後、中心軸から順に横方向に行番号を決定する（Ｓ２６９）。さらに、格子点決定部６３３は、決定された格子点の行及び列番号に基づいて、再び、格子点マップを形成する。なお、ステップＳ２６７及びＳ２６９の処理は、鉛直方向を次優先した第２モードである。もし、すでに行番号を先に決定していれば、列番号から決定しなおし（Ｓ２７１）、次に縦方向に行番号を決定する（Ｓ２７３）。もし、メモリに列番号から決定しなおしたデータが残っていれば、Ｓ２７１、Ｓ２７３の過程を省き、メモリに残った列番号から決定した格子点のデータを使用することもできる。また、縦方向に行番号をふることを優先させる場合、Ｓ２７１、Ｓ２７３の過程を省くこともできる。そして、自動解析モードを終了する。
このフローチャートでは、格子点マップを第１モードで形成した後、格子点マップが適切でない場合、自動的に第２モードで格子点マップを形成することになる。なお、第２モードの後、第１モードを実行して格子点マップを形成するようにしてもよい。
なお、上述の追加修正モードでの修正部６３７による確認修正画面の表示（Ｓ１２５）を行う際、集団検診向けモードを実行するようにしてもよい。具体的には、複数の被験者のデータと、このデータから得られた解析（波面収差）結果とを、平均的な（正常な）データ及び解析結果として予めメモリ８００に蓄積し、さらに、集団検診の際、測定結果判断部６０５は、検診を受けた各個人のデータ及び解析結果と、平均的な（正常な）データ及び解析結果との比較を行い、不適切な解析結果が得られた場合に再測定のアラームを出すようにしてもよい。
産業上の利用可能性
本発明によると、以上説明した通り、被検眼の状態に係らず、被検眼の波面収差をより効率的に適切に測定し表示を行うことができる。また、本発明によると、波面収差の測定前及び／又は測定後において、効率的な手順で修正作業を行い再び波面収差の測定を行うことができる。
また、本発明によると、ハルトマン像のスポット像と格子点座標とを対応付けて、照明状態を適切にすることができる。
【図面の簡単な説明】
図１は、本発明に関する眼特性測定装置１０００の概略光学系を示す図である。
図２は、本発明に関する眼特性測定装置１０００の電気的構成を示す電気系ブロック図である。
図３は、眼特性測定装置１０００の具体的な測定方法を示す第１の実施の形態のフローチャートである。
図４は、確認修正画面の表示例を示す図である。
図５は、モード選択ボタンがそれぞれ選択された場合の確認修正画面を示す図である。
図６は、確認修正画面上の実行ボタン「スポットの重心検出」を選択した場合を示す図である。
図７は、確認修正画面上の実行ボタン「点の消去」を選択した場合を示す図である。
図８は、確認修正画面上の実行ボタン「ダミー点」を選択した場合を示す図である。
図９は、眼特性測定装置１０００の具体的な測定方法を示す第２の実施の形態のフローチャートである。
図１０は、眼特性測定装置１０００の具体的な測定方法を示す第３の実施の形態のフローチャートである。
図１１は、本発明に関する眼特性測定装置１０００の電気的構成を示す電気系ブロック図である。
図１２は、眼特性測定装置１０００の具体的な測定方法を示す第１の実施の形態のフローチャートである。
図１３は、自動解析モード（ハルトマン像）の処理を示すフローチャート（１）である。
図１４は、横方向のみの場合の自動解析モードの処理を表すフローチャートである。
図１５は、格子点に行及び列番号を付す際のスポットを示す図である。
図１６は、自動解析モード（前眼部像）の処理を示すフローチャートである。
図１７は、プラチドリングマップ、瞳エッジマップの説明図である。
図１８は、眼特性測定装置１０００の具体的な測定方法を示す第２の実施の形態のフローチャートである。
図１９は、自動解析モード（ハルトマン像）の処理を示すフローチャート（２）である。
図２０は、ゼルニケの多項式についての説明図（１）である。
図２１は、ゼルニケの多項式についての説明図（２）である。
【図１】
2003053230.tif 000003
【図２】
2003053230.tif 000004
【図３】
2003053230.tif 000005
【図４】
2003053230.tif 000006
【図５】
2003053230.tif 000007
【図６】
2003053230.tif 000008
【図７】
2003053230.tif 000009
【図８】
2003053230.tif 000010
【図９】
2003053230.tif 000011
【図１０】
2003053230.tif 000012
【図１１】
2003053230.tif 000013
【図１２】
2003053230.tif 000014
【図１３】
2003053230.tif 000015
【図１４】
2003053230.tif 000016
【図１５】
2003053230.tif 000017
【図１６】
2003053230.tif 000018
【図１７】
2003053230.tif 000019
【図１８】
2003053230.tif 000020
【図１９】
2003053230.tif 000021
【図２０】
2003053230.tif 000022
【図２１】
2003053230.tif 000023
【国際調査報告】
2003053230.tif 000024
2003053230.tif 000025
2003053230.tif 000026
2003053230.tif 000027
2003053230.tif 000028
2003053230.tif 000029
2003053230.tif 000030